(57)【特許請求の範囲】
【請求項１】
光学部と一対のループ状の支持部とを有した眼内レンズを保持するとともに、眼球に設けられた切開創から前記眼内レンズを挿入するための挿入部と、
該挿入部が先端に設けられた筒構造の挿入器具本体と、
前記挿入部から前記眼内レンズを押し出すために前記挿入器具本体の筒内で軸方向に進退移動可能に設けられた押出手段と、
前記挿入器具本体内に固定的に形成され、前記押出手段の軸ぶれを防止するための軸出部と
を備え、
前記押出手段は、
前記眼内レンズの前記光学部を押し出すための押出棒と、
前記支持部との干渉を避けるために前記押出棒の径よりも小さな径にて前記押出棒の先端部から所定長さだけ形成される軸状の細身部と、
該細身部の先端に設けられ、前記光学部と当接するヘッド部と
を備え、
前記軸出部は、
前記押出手段の移動工程において前記ヘッド部が前記光学部への当接を開始する時点で、前記押出手段が備える前記押出棒のうち少なくとも前記細身部が接続される前記先端部を嵌合させるとともに、前記細身部を通す内筒を有することを特徴とする眼内レンズ挿入器具。
【請求項２】
請求項１の眼内レンズ挿入器具において、前記内筒の軸方向の断面形状は，少なくとも所定の軸方向の長さ分，前記押出棒が前記内筒に嵌合可能な形状に形成されることを特徴とする眼内レンズ挿入器具。
【請求項３】
請求項１又は２の眼内レンズ挿入器具において、前記軸出部は，前記挿入部にて保持された眼内レンズの支持部に当接しない位置に配置されることを特徴とする眼内レンズ挿入器具。
【発明の詳細な説明】
【技術分野】
【０００１】
本発明は、眼内レンズを眼内に挿入するための眼内レンズ挿入器具に関する。
【背景技術】
【０００２】
従来、白内障の手術方法の一つとして水晶体を摘出した後、水晶体の代わりとして折り曲げ可能な軟性の眼内レンズを挿入する手法が一般的に用いられている。折り曲げ可能な眼内レンズを挿入するには、インジェクターと呼ばれる眼内レンズ挿入器具を使用することにより、眼内レンズを折り曲げた状態で眼内に挿入させることによって、患者眼に設ける切開創をできるだけ小径となるようにしている。このようなインジェクターはプランジャーと呼ばれる押出棒にて内部に設置された眼内レンズを押し出すことにより、眼内レンズを小さく折り曲げつつ先端から外に出すようにしている。また、このようなインジェクターを用いて眼内レンズを眼内に挿入する際に、プランジャーの押出棒の姿勢が制御できずにぶれてしまい好適に眼内レンズを押し出せないことがある。このため、プランジャーの軸ぶれを防止するための部材を備えた眼内レンズ挿入器具が考えられている（特許文献１）。
【特許文献１】特開２００４−２４８５４号公報
【発明の開示】
【発明が解決しようとする課題】
【０００３】
しかしながら、特許文献１に開示される眼内レンズ挿入器具はプランジャー先端に軸ぶれを防止するための姿勢制御部材を連動可能に配設してレンズの移動工程中で互いの連動が解除されるようにするものであり、部品点数が増えるとともに構造がより複雑となってしまう。
【０００４】
本発明は、上記従来技術の問題点に鑑み、簡単な構成で押出棒（プランジャー）の軸出しを行うことができ、軸ぶれを抑制し、眼内レンズを好適に押し出すことが可能な眼内レンズ挿入器具を提供することを技術課題とする。
【課題を解決するための手段】
【０００５】
上記課題を解決するために、本発明は以下のような構成を備えることを特徴とする。
（１）  光学部と一対のループ状の支持部とを有した眼内レンズを保持するとともに、眼球に設けられた切開創から前記眼内レンズを挿入するための挿入部と、
該挿入部が先端に設けられた筒構造の挿入器具本体と、
前記挿入部から前記眼内レンズを押し出すために前記挿入器具本体の筒内で軸方向に進退移動可能に設けられた押出手段と、
前記挿入器具本体内に固定的に形成され、前記押出手段の軸ぶれを防止するための軸出部と
を備え、
前記押出手段は、
前記眼内レンズの前記光学部を押し出すための押出棒と、
前記支持部との干渉を避けるために前記押出棒の径よりも小さな径にて前記押出棒の先端から所定長さだけ形成される軸状の細身部と、
該細身部の先端に設けられ、前記光学部と当接するヘッド部と
を備え、
前記軸出部は、
前記押出手段の移動工程において前記ヘッド部が前記光学部への当接を開始する時点で、前記押出手段が備える前記押出棒のうち少なくとも前記細身部が接続される前記先端部を嵌合させるとともに、前記細身部を通す内筒を有することを特徴とする。
（２）  （１）の眼内レンズ挿入器具において、前記内筒の軸方向の断面形状は，少なくとも所定の軸方向の長さ分，前記押出棒が前記内筒に嵌合可能な形状に形成されることを特徴とする。
（３）  （１）又は（２）の眼内レンズ挿入器具において、前記軸出部は，前記挿入部にて保持された眼内レンズの支持部に当接しない位置に配置されることを特徴とする。
【発明の効果】
【０００６】
本発明によれば、簡単な構成で押出棒（プランジャー）の軸出しを行うことができ、軸ぶれを抑制し、眼内レンズを好適に押し出すことができる。
【発明を実施するための最良の形態】
【０００７】
以下に本発明の実施の形態を図面に示しながら説明する。図１は本実施の形態で使用する眼内レンズ挿入器具１の外観を示した概略外観図である。図１（ａ）は眼内レンズ挿入器具１を上方から、図１（ｂ）は側方から見た状態を示している。
【０００８】
眼内レンズ挿入器具１は、眼球に挿入する側から順に、眼球に形成される切開創に挿入する挿入部を備え、眼内レンズ４０（図２参照）を設置するための載置部が設けられたレンズ保持部１０（以下、カートリッジという）と、先端にカートリッジ１０を装着する筒部２０と、カートリッジ１０及び筒部２０の内部を挿通し、筒部２０に装着されたカートリッジ１０先端から眼内レンズ４０を外部に押し出すための押出機構部（押出手段、プランジャー）３０、とを有する。
【０００９】
図２は眼内レンズ４０の構成を示した図である。眼内レンズ４０は所定の屈折力を有する光学部４１と光学部４１を眼内で支持するためのループと呼ばれる一対の支持部４２からなる。本実施形態で用いる眼内レンズ４０の光学部４１は、ＨＥＭＡ（ヒドロキシエチルメタクリレート）等の単体や、アクリル酸エステルとメタクリル酸エステルの複合材料等の、従来、折り曲げ可能な軟性の眼内レンズに用いられている材料から形成されている。また、支持部４２もＰＭＭＡ（ポリメチルメタクリレート）等の従来、眼内レンズの支持部として用いられている材料から形成されている。本実施形態で用いる眼内レンズ４０は、上述した眼内レンズ材料を使用して光学部４１と細いループ形状からなる支持部４１とを別々に作成しておき、その後、一体化させて得られる３ピース型の眼内レンズを用いるものとしている。なお、用いる眼内レンズ４０は３ピース型に限るものではなく、光学部と支持部とを予め一体的に作成する１ピース型の眼内レンズであってもよい。
【００１０】
図３、図４はカートリッジ１０の構成を示した図である。図示するように、カートリッジ１０は先端に向かうにしたがって、その径が徐々に小さく（細く）なるテーパ形状を有する挿入部１１と、眼内レンズ４０を設置する載置部１２とが一体的に形成されている。なお、カートリッジ１０は、その全体が合成樹脂にて形成されており、一度の使用で廃棄する使い捨てタイプとなっている。このため、カートリッジ部１０は、樹脂等による成型にて作製されることが好ましい。
【００１１】
挿入部１１は中空の筒形状となっており、折りたたまれた眼内レンズ４０がこの中空部分を通して外部に送り出されるようになっている。また、載置部１２は、２つの半割部材１２ａ，１２ｂから形成されており、図３（ａ）に示すように半割部材１２ａ及び１２ｂの下縁同士がヒンジ部１３によって連結され、開閉可能となっている。眼内レンズ４０を載せる載置台１４ａ及び１４ｂは、半割部材１２ａ，１２ｂに各々設けられている。眼内レンズ４０を載せる載置面の形状（壁面形状）は、眼内レンズ４０を折り曲げる方向に沿った曲面を有している。
【００１２】
また、半割部材１２ａ及び１２ｂを閉じ合わせると、載置台１４ａ、１４ｂの壁面形状（載置面形状）が変形し、挿入部１１の基端側開口形状（半円形状）と略一致するようになっている（図４参照）。また、半割部材１２ａ，１２ｂが閉じ合ったときの載置部１２の外形は、後述する筒部２０の内壁形状と略一致するようになっている。また、図３（ｂ）に示すように、載置台１４ａ（１４ｂ）は眼内レンズ４０の光学部４１（点線で示す）を載置したとき、後方に位置する支持部４２（挿入部１１側ではない方）が載置台１４ａ（１４ｂ）から後方に若干飛び出るような大きさにて形成されている。
【００１３】
なお、本実施形態の眼内レンズ挿入器具１では、カートリッジ１０に眼内レンズ４０を載置する際に、眼内レンズ４０の後方に位置する支持部４２が眼内レンズ４０の進行方向に向って左側に位置するように載置するものとしている。また、半割部材１２ａの全長を半割部材１２ｂの全長より長くし、カートリッジ１０の基端側において半割部材１２ａの方が長くなるように形成している。このように半割部材１２ａ、１２ｂの全長を各々変えることにより、カートリッジ１０の装着時に後方に位置する支持部４２を後述する押出棒（押出軸）３１の軸上から外すための空間を設けることができる。
【００１４】
カバー１５ａ及び１５ｂは半割部材１２ａ，１２ｂの各々の上部に設けられており、半割部材１２ａと半割部材１２ｂとが閉じ合ったときに、載置台１４ａ及び載置台１４ｂの上方を覆うように形成されている。また、カバー１５ｂの端部には、載置台１４ａ、１４ｂの上方から載置台１４ａ、１４ｂに向かって延びるように形成された凸部１６が設けてある。なお、凸部１６はカートリッジ１０にセットされた眼内レンズ４０を折り曲げる際に、その折り曲げを常に載置台１４ａ、１４ｂの内壁面（載置面）に沿って行うように規制する役目を果たしている。
【００１５】
傾斜部１７ａ及び１７ｂは、カートリッジ１０の基端側から載置台１４ａ及び載置台１４ｂ上に眼内レンズ４０を差し入れやすくするために設けられている。また、使用者がカートリッジ１０を持つ際に把持する平板状の把持部１８は半割部材１２ａの側面に設けられる。
【００１６】
このような構成を備えるカートリッジ１０は、図４（ａ）に示すように、載置部１２が開いた状態（２つの半割部材が離れている状態）のときに、眼内レンズ４０を載置台１４ａ及び載置台１４ｂ上にセットし、その後、カートリッジ１０を筒部２０に装着することによって、図４（ｂ）に示すように判割部材１２ａと半割部材１２ｂとが閉じ合うことにより、載置された眼内レンズ４０に応力を掛け、折り曲げる（折り畳む）ことができる。
【００１７】
図５は筒部２０の外観構成を模式的に示した斜視図である。なお、筒部２０の内部構成は、図６にて詳細を説明する。図示するように、筒部２０の先端には、カートリッジ１０を着脱するための装着部２１が設けられている。装着部２１は筒部２０の先端を略半割した形状であり、その先端には凸部２２が、基端には凹部２３が筒部２０の中心を挿通する押出棒３１に対して左右対称に各々形成されている。また、凸部２２は筒部２０の中心軸よりも若干上方に位置しており、左右に設けられた凸部２２間の距離は、筒部２０の内径よりも若干狭く（短く）なっている。このような凸部２２の形状は、カートリッジ１０を装着部２１に装着する際に開かれている半割部材１２ａ，１２ｂを閉じ合わせる方向に規制し、その幅を制限するガイドの役目を果たすとともに、装着されたカートリッジ１０を係止し、容易に筒部２０から外れないようにするスナップイン構造を有している。なお、装着部２１の左右の縁部もまた凸部２２と同様に半割部材を閉じ合わせる方向に規制するガイドの役目を果たしている。また、押出棒３１の先端には、眼内レンズ４０の光学部４１に当接する（把持する）ヘッド部５０が設けられている（詳細は後述する）。また、ヘッド部５０と押出棒３１の間には、押出棒３１よりも小さい径の軸状の細身部３１ａが形成されている（詳細は後述する）。
【００１８】
次に、カートリッジ１０と筒部２０を組合せて構成した眼内レンズ挿入器具１における内部構成ついて説明する。図６は、眼内レンズ挿入器具１の模式的断面図である。図では、装着部２１にカートリッジ１０が装着されることにより眼内レンズ４０が折り曲げられた状態とされる。
【００１９】
図６に示すように、筒部２０の内部は中空状となっており、ここに押出機構部３０が筒部２０の軸方向に進退可能に挿通されている。押出機構部３０は押出棒３１、軸基部３２、押圧部３３から構成されている。なお、筒部２０及び押出機構部３０は、カートリッジ１０と同様に一度の使用で廃棄する使い捨てタイプとなっている。このため、樹脂等による成型にて各々が、一体的に作製される。なお、支持部４２は図示を略した。
【００２０】
術者による眼内レンズ４０の押出し操作の際に押圧される押圧部３３と、押圧部３３の一端に一体的に設けられた軸基部（基部）３２は，術者の押圧等で変形しにくい程度の剛性を有し、後述する押圧によって軸出しが好適に行われる程度の剛性を備える。このため、軸基部３２は、できるだけ径を大きく形成する。本実施形態では、筒部２０の内壁２０ａの内径と同じ径で作製する。これにより、軸基部３２は、筒部２０内部を進退移動しても、軸ぶれしにくくなる。なお、軸基部３２及び内壁２０ａの表面は鏡面仕上げとし、押出機構部３０の進退移動に伴う摩擦等が少ないようにしている。このようにして、押出棒３１の軸出機構が構成される。このとき、押出棒３１の基（押出棒３１と軸基部３２の境界）が軸出しされる（位置決めされる）。
【００２１】
押出棒３１は、軸基部３２の径より細い軸棒からなり、軸基部３２の先端に取り付けられている。軸基部３２が前方に移動されることによって、筒部２０の先端に装着されたカートリッジ１０から眼内レンズ４０が前方に押される。押出棒３１（押出機構部３０）は、眼内レンズ４０を筒先から外部へ送り出す役目を果たす。このため、押出棒３１の径は、挿入部１１及びカートリッジ１０内を通過できる程度の大きさとされ、軸基部３２よりも小さく形成される。また、押出棒３１の先端部は、眼内レンズ４０を押し出す際にカートリッジ１０内にセットされた眼内レンズ４０の後側に位置するループ（支持部４２）が押出棒３１と通路との間で絡まり（挟まり）、破損しないように、より細い径となる細身部３１ａが所定の長さだけ形成される。さらに細身部３１ａの先端（最先端）には眼内レンズ４０を把持するためのヘッド部５０が形成されている。なお、細身部３１ａは眼内レンズ４０を押し出す際に、後側の支持部４２との干渉（支持部４２が絡むこと）を抑制する役割を果たすのに必要な長さが確保されている。
【００２２】
ヘッド部５０は、光学部４１を把持しやすいように、横断面がくさび形状とされ、光学部４１を掬いあげるように把持する構造とされる。なお、ヘッド部５０は押出棒３１の径と同じか、それよりも小さくなるように設計される。詳細は後述するが、このように、押出棒３１が軸基部３２よりも細く、細身部３１ａが押出棒３１よりも細くされることにより、後述する眼内レンズ４０の押出動作において、支持部４２が押出棒３１と通路（カートリッジ１０の内部等）との間にて収まる空間ができ、押出機構部３０による損傷を受けにくくなる。
【００２３】
筒部２０の内部で、筒部２０の先端にできるだけ近い位置（本実施形態では、凹部２３付近）には、軸方向に所定の厚み（後述する距離Ｙに相当）を持った軸出部６０が固定的に形成されている。図示するように、軸出部６０の後端側は、先端側に向かうに従って徐々に開口径が小さくなるようなすり鉢形状とされ、最終的に押出棒３１が嵌合する径を持つ内筒６１が形成されている。このようなすり鉢形状を有することにより、押出し動作において、押出棒３１を内筒６１に嵌合しやすくなる。また、押出棒３１が内筒６１に嵌合することによって、押出棒３１が筒部２０内にて位置固定され軸出しが行われることとにより、押出棒３１の軸ぶれを防止する。また、軸出部６０は、眼内レンズ４０の押出し動作において、軸基部３２の前方への進行を規制する役割を持つ。これにより、押出し動作において、ヘッド部５０が挿入部１１から出過ぎないようにでき、眼内レンズ４０を好適に眼内に挿入できる。なお、軸出部６０は、筒部２０と一体的に成型される。
【００２４】
なお、内筒６１は、略半円形状とされており、内筒６１に嵌合する押出棒３１も同様に内筒６１と同形状の半円形状とされおり、押出し動作において、押出棒３１が軸回転（押出棒を中心軸とするねじれ回転）することを防止している。
【００２５】
次に、眼内レンズ４０の押出し動作（押出棒３１の移動工程）に伴う押出棒３１の軸出しについて説明する。図７は、軸出部６０に押出棒３１が嵌合され始めた状態での軸出部６０付近の模式的断面図であり、図８は、光学部４１にヘッド部５０が当接した状態での軸出部６０付近の模式的断面図である。なお、図７，８では支持部４２は、説明の簡便のため、断面図上に示し、ヘッド部５０や細身部３１ａと重なる部分は点線で示した。眼内レンズ４０がカートリッジ１０にて折り畳まれると、前側（前方）の支持部４２は、カートリッジ１０内の内壁で前方に伸展される。一方、後側（後方）の支持部４２は、カートリッジ１０の後端（基端）から応力の掛らない状態で、下方に垂れる。このとき、後側の支持部４２は、軸出部６０に当接しない方が好ましい。
【００２６】
図において、カートリッジ１０内に設置された眼内レンズ４０（光学部４１）の後端側から軸出部６０の先端側までの距離をＸとする。距離Ｘは、筒部２０にカートリッジ１０が取り付けられ、眼内レンズ４０が折り曲げられた際に後側の支持部４２の逃げ（空間）を所定量確保するために設けられる距離である。距離Ｘが短い場合、カートリッジ１０の装着時に後側の支持部４２が後壁（軸出部６０の先端面）に過度に接触して損傷しやすくなる。したがって、距離Ｘは、支持部４２の自然状態でのカーブが大きく変わらない程度の距離とされる。
【００２７】
また、内筒６１の長さ（距離）をＹとする。距離Ｙは、押出し動作において、押出棒３１が内筒６１に嵌合する時期を調整する。距離Ｙは、押出し動作においてヘッド部５０が光学部４１に到る直前または当接した際に、内筒６１に細身部３１ａを通すとともに内筒６１と嵌合する押出棒３１が内筒６１の入口（後端側）から内部に入っているだけの長さを有している。このとき内筒６１の通路全てが押出棒３１と嵌合している必要は無く、軸出しのため少なくとも内筒６１の入り口付近に押出棒３１の一部が嵌合していればよい。また、内筒６１の形状は、眼内レンズ４０の押出し動作において、押出棒３１が嵌合する形状とされる。
【００２８】
また、ヘッド部５０先端から細身部３１ａの後端までの距離（長さ）をＺとする。距離Ｚは、押出し動作において、伸展される支持部４２を逃げさせるための空間を形成する長さとされる。図８に示すように、距離Ｚは、伸展される支持部４２が移動中の押出棒３１に当接（干渉）しないように、先端部３１ａの周囲に形成された空間（ここでは、先端部３１ａの下部の空間）に、押出し動作に伴って伸展される支持部４２を収める程度の長さとする。距離Ｚは、支持部４２を逃がす程度であればよい。距離Ｚが長すぎると、先端部３１ａが撓（たわ）み易くなり、押出棒３１を精度よく軸出ししてもヘッド部５０が軸ずれする可能性がある。このため、距離Ｚは支持部４２を逃がす程度の長さでできるだけ短い方が好ましい。
【００２９】
従って、軸出部６０は、筒部２０内で、前述の軸出機構から離れて配置されることが好ましい。このような構成であると、押出機構部３０（ヘッド部５０）の軸出し精度が向上される。このため、Ｘ、Ｙ、Ｚの関係は、Ｚ−Ｘ≦Ｙとされる。
【００３０】
このような構成とすることにより、眼内レンズ４０の押出し動作において、一連の軸出しが行われる。まず、押出棒３１は前述のように、軸出機構により軸出しされている。この状態で、押出棒３１が前方へ移動されると、押出棒３１が内筒６１に嵌合される。これにより、押出棒３１は、軸出機構と軸出部６０による２点の軸出しされる。このとき、ヘッド部５０は光学部４１に当接される。さらに、押出棒３１が前方へと移動されると、押出棒３１の軸出し状態が維持されたまま、光学部４１がヘッド部５０に把持され、挿入部１１へと押出される。
【００３１】
以上のようにして、部品点数を増やすことなく、簡単な構成で眼内レンズを好適に押し出すことができ、軸ぶれを抑制できる。さらに、軸出しを行うために押出棒と連動して移動し、後に分離するような部材を用いることなく、眼内レンズを好適に押し出すことができる。
【００３２】
なお、以上の実施形態では、内筒６１は距離Ｙ分、押出棒３１と嵌合する一定の断面形状にて形成されているが、このような構成に限るものではない。軸出部６０の先端側から距離Ｙ離れた位置で、押出棒３１の軸出しが行われる構成であればよい。また、光学部４１の後端から距離Ｘ離れた位置に、支持部４２に応力を掛けない程度に当接する部材、もしくは、当接しない範囲で近接する位置に部材があればよい。従って、軸出部６０の先端側と後端側にそれぞれ薄肉の嵌合部材（内筒）が配置される構成であってもよい。
【００３３】
以上のような構成を備える眼内レンズ挿入器具１において、その動作を説明する。使用者は、カートリッジ１０の把持部１８を一方の手で掴んでカートリッジ１０を持ち、もう一方の手で鑷子を用いて眼内レンズ４０を摘み上げる。摘み上げた眼内レンズ４０をカートリッジ１０の基端側から中に差し入れ、載置台１４ａ，１４ｂ上に置く。カートリッジ１０に応力が何も掛かっていない状態のときは、図４（ａ）に示すように半割部材１２ａ，１２ｂは開かれた状態にあり、載置台１４ａ，１４ｂ上に置かれた眼内レンズ４０も折り曲げられていない状態（応力が掛けられていない状態）で保持される。
【００３４】
カートリッジ１０を筒部２０に装着する場合には、押出棒３１を筒部２０の基端側へ引き出しておき、装着部２１に設けられた凹部２３にカートリッジ１０の把持部１８（基端側）を嵌合させつつ、載置部１２（半割部材１２ａ，１２ｂ）の底面を凸部２２（または装着部２１の左右の縁部）に押し付けるようにする。載置部１２の底面（下部）を凸部２２（または装着部２１の左右の縁部）に押し付けることにより、凸部２２が半割部材１２ａと半割部材１２ｂとを閉じ合わせるようにガイドすることとなる。さらに載置部１２を装着部２１内に押し込んでいくと、図４（ｂ）に示すように、半割部材１２ａと半割部材１２ｂとが閉じ合った状態で装着部２１に装着されることとなる。
【００３５】
このように半割部材１２ａと半割部材１２ｂとが閉じ合った状態では、載置台１４ａと載置台１４ｂとの幅（間隔）が狭くなっているため、載置台１４ａ、１４ｂの壁面にて眼内レンズ４０を左右方向から押すこととなる。その結果、眼内レンズ４０に応力が掛けられた状態となり、眼内レンズ４０は載置台１４ａ，１４ｂの壁面（載置面）に沿って折り曲げられることとなる。
【００３６】
装着部２１にカートリッジ１０を装着後、予め水晶体が取り除かれた患者眼内に挿入部１１を差し入れた状態で押圧部３３を押して、軸基部３２、押出棒３１を前方に移動させていく。ヘッド部５０及び先端部３１ａが軸出部６０を通過し、押出棒３１が軸出部６０の内筒６１に嵌合される。これにより、押出棒３１は軸出しされ、押出棒３１と一体的に形成されたヘッド部５０が眼内レンズ４０の光学部４１の側部（コバ）を把持した状態で前方の挿入部１１に押していく。眼内レンズ４０が挿入部１１内に入り、挿入部１１の開口径が狭くなってくると、眼内レンズ４０は挿入部１１内部の壁面に沿って折り曲げられていく（丸め込まれていく）。このとき、支持部４２が伸展される。さらに押圧部３３が押し進められると、挿入部１１の先端から眼内レンズ４０が押し出される。
【００３７】
なお、以上説明した本実施形態では、軸出部に押出棒と同じ断面形状の内筒を設け、眼内レンズの押出し動作において、軸出しの精度を向上させ、眼内レンズを押出すことができる構成としたが、これに限るものではない。押出棒が軸回転せず、好適に軸出しされる形状であれば、押出棒と軸出部はどのような形状であってもよい。例えば、押出棒と軸出部に、互いに進退可能に嵌合するスリットとスリット溝を設ける構成としてもよい。
【００３８】
なお、以上説明した本実施形態では、カートリッジ１０内で折り曲げられた眼内レンズ４０を軸出部６０等にて軸出しし、押出機構部３０にて挿入部１１から押出す構成としたが、これに限るものではない。応力の掛っていない眼内レンズを軸出しされた押出機構部３０にて押出しながら、カートリッジ１０内の構造によって、眼内レンズ４０を折り曲げつつ、挿入部１１から押出す構成としてもよい。
【図面の簡単な説明】
【００３９】
【図１】本実施形態における眼内レンズ挿入器具ｑの外観を示した図である。
【図２】眼内レンズ４０の構成を示した図である。
【図３】本実施形態におけるカートリッジ１０の外観を示した図である。
【図４】カートリッジ１０の変形による眼内レンズの折り曲げ方法を示した図である。
【図５】筒部２０の外観構成を示した図である。
【図６】眼内レンズ挿入器具１の側面断面を示した図である。
【図７】ヘッド部５０が光学部４１に当接した状態の軸出部６０付近の模式的断面図である。
【図８】眼内レンズ４０がヘッド部５０に押出されている状態の軸出部６０付近の模式的断面図である。
【符号の説明】
【００４０】
１  眼内レンズ挿入器具
１０  カートリッジ
２０  筒部
３０  押出機構部
３１  押出棒
３１ａ  細身部
４０  眼内レンズ
４２  支持部
５０  ヘッド
６０  軸出部
６１  内筒
【図１】
0005301809.tif 000002
【図２】
0005301809.tif 000003
【図３】
0005301809.tif 000004
【図４】
0005301809.tif 000005
【図５】
0005301809.tif 000006
【図６】
0005301809.tif 000007
【図７】
0005301809.tif 000008
【図８】
0005301809.tif 000009